(57)【要約】      （修正有）【課題】２種類の色部を有するプラスチックシート、プレートを押し出すことができる二色押し出し金型構造を提供する。【解決手段】二色押し出し金型構造は、第１、第２供給孔３０、４０、第１、第２キャビティ５０、６０を有し、第１、第２供給孔を第１、第２キャビティと連通させ、第１、第２キャビティの間に鉛直角７０をもたせ、２種の異なる色のプラスチック原料液を第１、第２供給孔を経由してそれぞれ第１、第２キャビティ中に押し込み、且つ鉛直角により異なる色のプラスチック原料液の流体圧力を誘導し、それを下向きに流動させ、異なる色のプラスチック原料液を誘導し、臨界制限を有するセグメント状の熱溶融結合を自動形成し（プラスチック原料液が互に結合するが、色は、仕切られ、混合しない）、２種の色を有するプラスチックシート、プレートを押し出し、続いて２種の色を有するプラスチックケース体等を加工することができる。【選択図】図１
0003195295.tif 000002
【実用新案登録請求の範囲】
【請求項１】
第１モジュールと第２モジュールとを含み、該第１モジュール、該第２モジュールが互に型合わせする一側にそれぞれ凹陥を形成し、第１供給孔、少なくとも１つの第１キャビティ及び第２キャビティを定義し、該第１モジュールは、第２供給孔を有し、そのうち、該第供給孔は、該第１キャビティと連通氏、該第２供給孔は、該第２キャビティと連通氏、該第１キャビティ、該第２キャビティは、互いに連通し、該第１キャビティ、該第２キャビティは、互いに型合わせして対応し、そのうち一側にプラスチック原料液の押し出し口を定義し、該第１キャビティ、該第２キャビティが互に連通する箇所の上側に少なくとも１つの鉛直角を有する二色押し出し金型構造。
【請求項２】
前記プラスチック原料液は、ＰＥＴから選択される請求項１に記載の二色押し出し金型構造。
【請求項３】
前記第１キャビティは、２つであり、且つ該第２キャビティに設けられ、該鉛直角は、２つであり、それぞれ該第１キャビティ、該第２キャビティが互に連通する箇所の上側に設けられ、中間領域の色が両側で異なる色のプラスチックシート、プレートを押し出すことに用いられる請求項１に記載の二色押し出し金型構造。
【請求項４】
前記鉛直角は、尖端部及び２つの弧面を含み、該尖端部は、下を向き、該弧面は、該尖端部両側に位置する請求項１に記載の二色押し出し金型構造。
【請求項５】
前記第１供給孔及び該第１キャビティの間が導流路により連通される請求項１に記載の二色押し出し金型構造。
【請求項６】
前記鉛直角は、尖端部及び２つの弧面を含み、該尖端部は、下を向き、該弧面は、該尖端部両側に位置する請求項１に記載の二色押し出し金型構造。
【請求項７】
前記第１キャビティ上側に第１導流部を定義し、該第１導流部は、下向きに開口する釣鐘状を呈する請求項１に記載の二色押し出し金型構造。
【請求項８】
前記第２キャビティ上側に第２導流部を定義し、該第２導流部は、下向きに開口する釣鐘状を呈する請求項１に記載の二色押し出し金型構造。
【請求項９】
前記第１モジュール及び第２モジュールの型合わせ面に緩衝部を定義し、該緩衝部は、弧形溝状であり、該第１キャビティ、該第２キャビティと連通する請求項１に記載の二色押し出し金型構造。
【請求項１０】
前記緩衝部の二側にそれぞれ凹溝を設ける請求項８に記載の二色押し出し金型構造。
【考案の詳細な説明】
【技術分野】
【０００１】
本考案は、押し出し金型に関し、特に、２種類の色部を有するプラスチックシート、プレートを押し出すことができる押し出し金型構造に関する。
【背景技術】
【０００２】
日常生活でしばしばみられる販売される果物、食品又はその他の物品等は、売り手が通常プラスチックケールで収容包装し、内容物を保護し、商品の美観性を向上させているが、一般のプラスチックケースは、透明状であり、内容物が直接見えるものであり、その美観性は、理想的でない。また、プラスチックケース表面上に色、パターン、文字をプリントしたり、シールを貼付したりして内容物が直接見えることを回避しているが、このように、製造加工の工程及びコストを増加させ、更に、プラスチックケース表面上に色、パターン、文字をプリントし、脱落の現象を容易に発生し、理想的でないので、業界が２種類の色を有する、例えば、透明部、不透明部を同時に有するか、深色、浅色を同時に有するプラスチックケースを生産することができれば、現在のプラスチックケースの欠陥、問題を解決することができる。
【０００３】
現在、プラスチックケースを製造生産する技術は、プラスチック粒原料を熱で溶かしてプラスチック原料液にした後、押し出し機に入れ、該押し出し機によりプラスチック原料液を高圧で持続的に押し出し金型に押し込み、押し出し金型中には、成形キャビティ及び押し出し口を有するので、プラスチックシート、プレートを持続的に押し出すことができ、続いて所定の加工工程を利用してプラスチックケース体を製造する。但し、現在の押し出し金型の構造は、単色のプラスチックシート、プレートを押し出すことしかできず、業者は、単色のプラスチックケースを製造することしかできず、従って、既存の押し出し金型は、実際に改良の必要性がある。
【０００４】
本発明者は、製品の絶え間ない研究改良、開発の理念に基づき、長多プラスチック製品開発に従事する実務経験、及び積極的な専門研究開発思考により、多数回の実際の設計実験を経て、本考案の誕生に至っている。
【先行技術文献】
【特許文献】
【０００５】
【特許文献１】特開２０１２−２５００３号公報
【考案の概要】
【考案が解決しようとする課題】
【０００６】
本考案の目的は、２種以上の色を有するプラスチックシート、プレートを押し出すことができる押し出し金型構造を提供することにある。
【課題を解決するための手段】
【０００７】
上記目的を達成する為、本考案が提供する二色押し出し金型構造は、第１モジュールと第２モジュールとを含み、該第１モジュール、該第２モジュールが互に型合わせする一側にそれぞれ凹陥を形成し、第１供給孔、少なくとも１つの第１キャビティ及び第２キャビティを定義し、該第１モジュールは、第２供給孔を有し、そのうち、該第供給孔は、該第１キャビティと連通氏、該第２供給孔は、該第２キャビティと連通氏、該第１キャビティ、該第２キャビティは、互いに連通し、該第１キャビティ、該第２キャビティは、互いに型合わせして対応し、そのうち一側にプラスチック原料液の押し出し口を定義し、該第１キャビティ、該第２キャビティが互に連通する箇所の上側に少なくとも１つの鉛直角を有する。
【０００８】
前記二色押し出し金型構造において、該プラスチック原料液は、ＰＥＴ(Polyethylene terephthalate）から選択される。
【０００９】
前記二色押し出し金型構造において、該第１キャビティは、２つであり、且つ該第２キャビティに設けられ、該鉛直角は、２つであり、それぞれ該第１キャビティ、該第２キャビティが互に連通する箇所の上側に設けられ、中間領域の色が両側で異なる色のプラスチックシート、プレートを押し出すことに用いられる。
【００１０】
前記二色押し出し金型構造において、該第１供給孔及び該第１キャビティの間が導流路により連通される請求項１に記載の二色押し出し金型構造。
【００１１】
前記二色押し出し金型構造において、該鉛直角は、尖端部及び２つの弧面を含み、該尖端部は、下を向き、該弧面は、該尖端部両側に位置する。
【００１２】
前記二色押し出し金型構造において、該第１キャビティ上側に第１導流部を定義し、該第１導流部は、下向きに開口する釣鐘状を呈する。
【００１３】
前記二色押し出し金型構造において、該第２キャビティ上側に第２導流部を定義し、該第２導流部は、下向きに開口する釣鐘状を呈する。
【００１４】
前記二色の押し出し金型構造において、該第１モジュール及び第２モジュールの型合わせ面に緩衝部を定義し、該緩衝部は、弧形溝状であり、該第１キャビティ、該第２キャビティと連通する。
【００１５】
前記二色の押し出し金型構造において、該緩衝部の二側にそれぞれ凹溝を設ける。
【考案の効果】
【００１６】
異なる色のプラスチック原料液を第１供給孔、第２供給孔を経由してそれぞれ第１キャビティ、第２キャビティ中に押し込み、且つ鉛直角により異なる色のプラスチック原料液の流体圧力を誘導し、それを下向きに流動させ、異なる色のプラスチック原料液を誘導し、臨界制限を有するセグメント状の熱溶融結合を自動形成し（プラスチック原料液が互に結合するが、色は、仕切られ、混合しない）、２種の色（例えば、透明部、不透明部）を有するプラスチックシート、プレートを押し出し、続いて２種の色を有するプラスチックケース体等を加工することができ、現有のプラスチック押し出し金型が単色のプラスチックシート、プレートしか押し出すことができない欠陥を改善する。
【図面の簡単な説明】
【００１７】
【図１】本考案の立体分解図である。
【図２】本考案の立体図である。
【図３】本考案の２種類の色部プラスチックシート、プレートの実施例の正面説明図である。
【図４】本考案の２種類の色部プラスチックシート、プレートの実施例の側面説明図である。
【図５】本考案の局部拡大構造説明図である。
【考案を実施するための形態】
【００１８】
以下に具体的実施例に図面を併せて詳細を説明する。
【００１９】
図１〜図４に示すように、本考案の二色押し出し金型構造は、第１モジュール１０及び第２モジュール２０を含み、第１モジュール１０、第２モジュール２０を含み、第１モジュール１０、第２モジュール２０は、互いに型合わせする一側にそれぞれ凹陥空間を形成し、第１供給孔３０、少なくとも１つの第１キャビティ５０及び第２キャビティ６０を定義し、該第１モジュール１０は、第２供給孔４０を有し、そのうち、第１供給孔３０は、第１キャビティ５０と連通し、第２供給孔４０は、第２キャビティ６０と連通し、第１キャビティ５０、第２キャビティ６０は、相互に型合わせして対応し、そのうち一側にプラスチック原料液の押し出し口９３を定義し、第１キャビティ５０、第２キャビティ６０の互いに連通する箇所の上側に少なくとも１つの鉛直角７０を有する。
【００２０】
プラスチック押し出し機（図示せず）により二種の異なる色のプラスチック原料液（本実施例は、透明プラスチック原料液、不透明なプラスチック原料液）を第１供給孔３０、第２供給孔４０を経由してそれぞれ持続的に第１キャビティ５０、第２キャビティ６０中に押し込み（本実施例は、ただ第１供給孔３０、第１キャビティ５０中のプラスチック原料液Ｌのみを表示し、プラスチック原料液Ｌは、図中の傾斜状断面線である）、且つ鉛直角７０により２種の異なる色のプラスチック原料液の流体圧力を誘導し、それを下向きに流動させ、第１キャビティ５０、第２キャビティ６０中の異なる色のプラスチック原料液を誘導し、臨界制限を有するセグメント状の熱溶融結合を自動形成し（２種の異なる色のプラスチック原料液が互いに結合するが、色は仕切られ、混合することがない）、第１キャビティ５０、第２キャビティ６０によりシート、プレート状に予備形成し、プラスチック原料液を押し出す過程中でゆっくりと降温して固体状に変化し、従って、押し出し口９３から２種の色（例えば、透明部、不透明部）を有するプラスチックシート、プレートを押し出すことができ、続いて所定の加工工程を用いて２種の色を有するプラスチックケース体等に製造し、現有のプラスチック押し出し金型の単色のプラスチックシート、プレートしか押し出すことができない欠陥を改善する。
【００２１】
本実施例において、該プラスチック原料液は、熱で溶ける前のプラスチック粒原料は、 ＰＥＴ(Polyethylene terephthalate)から選択し、前記異なる色のプラスチック原料液は、透明、不透明のプラスチック原料液であり、当然、深色、浅色又はその他の各種色のプラスチック原料液であることもできる。
【００２２】
実施例において、該第１キャビティ５０は、２つであり、且つ第２キャビティ６０両側に設けられ、該鉛直角７０は、２つであり、且つ該第１キャビティ５０、該第２キャビティ６０が互いに連通する箇所の上側に設けられ、中間領域の色が両側で異なる色のプラスチックシート、プレートを押し出すことに用いられる。構造実施例において、該鉛直角７０は、尖端部７１、２つの弧面７３を含み、該尖端部７１は、下を向き、該弧面７３は、尖端部７１両側に位置され、これにより、第１キャビティ５０、第２キャビティ６０中の異なる色のプラスチック原料液は、更に円滑に該弧面７３により該尖端部７１に誘導し、下向きに流動することができ、且つ該尖端部７１の下向きの導流により、押し出し口９３から押し出すプラスチックシート、プレート上の２種の色の臨界結合箇所を更に明確にさせ（直線状に近づける）、プラスチックシート、プレート上の２種の色の仕切りを更に明確にさせ、より一緒に混合させることがないようにする。
【００２３】
構造実施例において、該第１供給孔３０、第１キャビティ５０の間は、導流路８１により連通される。
【００２４】
構造実施例において、該第１キャビティ５０上側に第１導流部５１を定義し、該第１導流部５１は、下向きに開口する釣鐘状を呈し、第１キャビティ５０のプラスチック原料液を更に円滑に下向きに流動させることに用いられる。
【００２５】
構造実施例において、該第２キャビティ６０上側に第２導流部６１を定義し、該第２導流部６１は、下向きに開口する釣鐘状を呈し、第１キャビティ６０のプラスチック原料液を円滑に下向きに流動させることに用いられる。
【００２６】
図３、図４、図５に示すように、構造実施例において、第１モジュール１０、第２モジュール２０の型合わせ面の間に緩衝部９０を定義し、該緩衝部９０は、弧形溝状であり、第１キャビティ５０、第２キャビティ６０と連通する。本考案はが押し出し作業を行う時、第１キャビティ５０、第２キャビティ６０中のプラスチック原料液は、押し出し機により高圧の押し出し力が加えられて急速に下向きに押し出し口９３まで流動し、該緩衝部９１を流れる時、該緩衝部９１は、プラスチック原料液の流動経路を登り、下りの動作に類似し、即ち、プラスチック原料液が第１キャビティ５０、第２キャビティ６０内に停留する成形時間を増加した後に押し出し、更に、該緩衝部９１も第１キャビティ５０、第２キャビティ６０中のプラスチック原料液の流動圧力を効率的に均等に安定させることができ、プラスチック原料液の速度及び流圧を緩衝する作用を具え、これにより、プラスチック原料液が高圧で押し出されて成形が未完成の状態で急速に流出（噴出）する状況を回避することができ、且つ本考案が押し出すプラスチックシート、プレートの厚さに更に均一性、美観を増加させ、プラスチックシート、プレートの品質を増進することができる。
【００２７】
構造実施例において、該緩衝部９０は、両側に更にそれぞれ凹溝９１，９２を設け、該緩衝部９０の緩衝効果を増進することに用いる。
【００２８】
上記のように、本考案は、モジュールに複数の供給孔及び複数の互いに連通するキャビティを設置し、キャビティの間に設けられた鉛直角により異なる色のプラスチック原料液の流体圧力を誘導し、それを下向きに流動させ、臨界制限を具備するセグメント状の熱溶融結合を自動形成し、２種の色（色は仕切られ、混合しない）のプラスチックシート、プレートを押し出し、この構造は、現有技術中に開示が見られず、新規性及び進歩性を有している。
【００２９】
上記本考案の実施例により、当業者は、複数の本考案の金型構造を組み合わせることにより複数の二色（色が仕切られ、混合しない）を有するプラスチックシート、プレートを作り出すことができる。
【００３０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３１】
１０  第１モジュール
２０  第２モジュール
３０  第１供給孔
４０  第２供給孔
５０  第１キャビティ
５１  第１導流部
６０  第２キャビティ
６１  第２導流部
７０  鉛直角
７１  尖端部
７３  弧面
８１  導流路
９０  緩衝部
９１，９２  凹溝
９３  押し出し口
Ｌ  プラスチック液
【図１】
0003195295.tif 000003
【図２】
0003195295.tif 000004
【図３】
0003195295.tif 000005
【図４】
0003195295.tif 000006
【図５】
0003195295.tif 000007
【手続補正書】
【提出日】平成26年11月6日(2014.11.6)
【手続補正１】
【補正対象書類名】実用新案登録請求の範囲
【補正対象項目名】請求項１
【補正方法】変更
【補正の内容】
【請求項１】
第１モジュールと第２モジュールとを含み、
該第１モジュール、該第２モジュールが互いに型合わせする一側にそれぞれ凹陥を形成し、
第１供給孔と、少なくとも１つの第１キャビティ及び第２キャビティを有し、
該第１モジュールは、第２供給孔を有し、
そのうち、該第１供給孔は、該第１キャビティと連通し、該第２供給孔は、該第２キャビティと連通し、
プラスチック原料液を該第１供給孔、該第２供給孔を経由してそれぞれ持続的に該第１キャビティ、該第２キャビティ中に流入させることができ、
該第１キャビティ、該第２キャビティは、互いに連通し、
該第１キャビティ、該第２キャビティは、互いに型合わせして対応し、そのうち一側にプラスチック原料液の押し出し口を定義し、
該第１キャビティ、該第２キャビティが互いに連通する箇所の上側に少なくとも１つの鉛直角を有する
二色押し出し金型構造。
【手続補正２】
【補正対象書類名】実用新案登録請求の範囲
【補正対象項目名】請求項３
【補正方法】変更
【補正の内容】
【請求項３】
前記第１キャビティは、２つであり、且つ該第２キャビティの両側に設けられ、
該鉛直角は、２つであり、それぞれ該第１キャビティ、該第２キャビティが互いに連通する箇所の上側に設けられ、
中間領域の色が両側で異なる色のプラスチックシート、プレートを押し出すことに用いられる請求項１に記載の二色押し出し金型構造。
【手続補正３】
【補正対象書類名】実用新案登録請求の範囲
【補正対象項目名】請求項１０
【補正方法】変更
【補正の内容】
【請求項１０】
前記緩衝部の二側にそれぞれ凹溝を設ける請求項９に記載の二色押し出し金型構造。